(57)【要約】【課題】データ放送によるポータルサービスとＶＯＤサービスを組み合わせた双方向サービスを実施するＣＡＴＶシステムにおいて、ユーザーが登録されたＣＡＳカードとＳＴＢの組み合わせで視聴していることの確認を行えるポータル認証システムを提供する。【解決手段】ＳＴＢ２を特定する第１と第２の受信機情報を受信機より取得し、ポータル認証サーバ３において、あらかじめ登録された前記第１と第２の受信機情報を関連付けて保持する保持部３５と、前記ＳＴＢ２から取得した第１の受信機情報と前記保持部に保持する第１の受信機情報とを比較判定する第１の比較判定部３４−１と、前記受信機から取得した第２の受信機情報と前記保持部に保持する該第１の受信機情報に関連付けられた第２の受信機情報を比較判定する第２の比較判定部３４−２とを設ける。【選択図】図１
2007336030.tif 000002
【特許請求の範囲】
【請求項１】
ＣＡＴＶ局に設置されたポータル画面を送出するポータルサーバと、前記ポータルサーバを経由してＶＯＤサービスを行うＶＯＤサーバと、加入者宅にあって前記サービスを受信する受信機からなる双方向デジタルＣＡＴＶシステムにおいて、
受信機を特定する第１の受信機情報と第２の受信機情報と、前記ポータルサービスの認証画面表示時に前記認証画面を構成するコンテンツデータに関連付けられた第１の受信機情報取得コマンドを処理する第１のコマンド処理部と、第２の受信機情報取得コマンドを処理する第２のコマンド処理部を前記受信機に備え、前記第１の受信機情報と、前記第２の受信機情報を前記受信機から取得し、前記ＣＡＴＶ局に送信し、
前記受信機のポータル画面の入力認証を行うポータル認証サーバにおいて、あらかじめ登録された前記第１の受信機情報と前記第２の受信機情報を関連付けて保持する保持部と、前記受信機から取得した前記第１の受信機情報と前記保持部に保持する第１の受信機情報とを比較判定する第１の比較判定部と、前記受信機から取得した前記第２の受信機情報と前記保持部に保持する前記第１の受信機情報に関連付けられた第２の受信機情報を比較判定する第２の比較判定部とを設け、前記第１の比較判定部の結果が該当でかつ、前記第２の比較判定部の結果が該当の場合、前記ポータルサービス画面の表示を前記ポータルサーバに対し許可することを特徴とするＣＡＴＶポータル認証システム。
【請求項２】
前記ポータルサーバに、特定の画面データを構成するためのコンテンツデータ保持部を設け、
前記ポータル認証サーバで、前記第１の比較判定部の結果が該当でかつ、前記第２の比較判定部の結果が非該当の場合、および、前記第１の比較判定部の結果が非該当の場合、前記比較判定結果に従い、前記コンテンツデータ保持部のコンテンツデータを送出するよう前記ポータルサーバに通知し、前記ポータルサーバから前記受信機に前記特定の画面を構成するコンテンツデータ送信し、前記受信機で表示することを特徴とする請求項１記載のＣＡＴＶポータル認証システム。
【請求項３】
前記ポータル認証サーバに、あらかじめ前記第２の受信機情報に関連付けられた受信機の接続情報を保持する接続情報保持部と、前記第２の受信機情報から前記関連付けられた接続情報を検索する接続情報検索部を設け、
前記ポータル認証サーバで、前記第１の比較判定部の結果が該当でかつ、前記第２の比較判定部の結果が非該当の場合、前記受信機から取得した第２の受信機情報を元に、前記接続情報検索部で前記接続情報保持部を検索し、検索結果の該当接続情報を前記ポータルサーバに通知し、
前記ポータルサーバは通知された接続情報をＶＯＤサーバに通知し、ＶＯＤサーバは該接続先のネットワークにＶＯＤサービス情報を送出することを特徴とする請求項１記載のＣＡＴＶポータル認証システム。
【請求項４】
前記ポータル認証サーバに、あらかじめ前記第２の受信機情報に関連付けられた受信機で対応可能なサービス情報を保持するサービス情報保持部と、前記第２の受信機情報から前記関連付けられたサービス情報を検索するサービス情報検索部を設け、
前記第１の比較判定部の結果が該当でかつ、前記第２の比較判定部の結果が該当の場合、前記受信機から取得した第２の受信機情報を元に、前記サービス情報検索部で前記サービス情報保持部を検索し、検索結果の該当サービス情報を前記ポータルサーバに通知し、前記ポータルサーバは通知された受信機で対応可能なサービス情報を元に、対応するポータルサービス画面情報を送出することを特徴とする請求項１記載のＣＡＴＶポータル認証システム。
【請求項５】
前記ＣＡＴＶ用受信機に、受信機の機能を特定する第３の受信機情報と、前記ポータルサービス画面を構成するコンテンツデータに関連付けられた第３の受信機情報取得コマンドを処理するコマンド処理部を備え、
前記ポータル認証サーバに、あらかじめ前記第３の受信機情報に関連付けられた受信機で対応可能なサービス情報を保持するサービス情報保持部と、前記第３の受信機情報から前記関連付けられたサービス情報を検索するサービス情報検索部を設け、
前記第１の比較判定部の結果が該当でかつ、前記第２の比較判定部の結果が該当の場合、前記受信機から取得した第３の受信機情報を元に、前記サービス情報検索部で前記サービス情報保持部を検索し、検索結果の該当サービス情報を前記ポータルサーバに通知し、前記ポータルサーバは通知された受信機で対応可能なサービス情報を元に、対応するポータルサービス画面情報を送出することを特徴とする請求項１記載のＣＡＴＶポータル認証システム。
【請求項６】
前記ポータル認証サーバに、前記第２の受信機情報を調査する受信機情報調査部を設け、
前記受信機情報調査部の結果が非適合の場合、前記ポータルサーバに前記第２の受信機情報を設定する指示を通知し、その後、前記第２の受信機情報を取得する指示を通知し、
通知された前記ポータルサーバは、前記受信機に前記第２の受信機情報設定コマンドを送出し、その後、前記第２の受信機情報取得コマンドを送出することを特徴とする請求項１記載のＣＡＴＶポータル認証システム。
【請求項７】
前記ポータル認証サーバに、前記第２の受信機情報を発生する受信機情報発生部を設け、
前記受信機情報登録後の最初のポータル認証時、前記第１の受信機情報に関連した前記第２の受信機情報を発生、保持し、前記ポータルサーバに前記発生した第２の受信機情報および設定指示を通知し、通知された前記ポータルサーバは、前記通知された第２の受信機情報および設定コマンドを送出することを特徴とする請求項１記載のＣＡＴＶポータル認証システム。
【請求項８】
第１の受信機情報が限定受信カードＩＤであり、第２の受信機情報が受信機ＩＤであることを特徴とする請求項１から６記載のＣＡＴＶポータル認証システム。
【請求項９】
第３の受信機情報が受信機モデルＩＤであることを特徴とする請求項５記載のＣＡＴＶポータル認証システム。
【請求項１０】
前記ポータルサービス画面を構成するコンテンツデータをＢｒｏａｄｃａｓｔ  Ｍａｒｋｕｐ  Ｌａｎｇｕａｇｅで記載することを特徴とする請求項１から７記載のＣＡＴＶポータル認証システム。
【発明の詳細な説明】
【技術分野】
【０００１】
デジタルＣＡＴＶ放送システムにおいて、双方向サービスを行う受信機（Ｓｅｔ  Ｔｏｐ  Ｂｏｘ、ＳＴＢと略）および、ポータルサービスとＶＯＤサービスを行い、ポータル認証を行うＣＡＴＶ局システムに関する。
【背景技術】
【０００２】
近年デジタル再送信を行うデジタルＣＡＴＶ放送システムが普及し、そのサービスについても、従来の一方向の放送サービスだけから、データ放送を利用した双方向サービスが始まっている。また、ＶＯＤサーバを使用したＶＯＤサービスが大手ＣＡＴＶ局でサービスが開始されている。ＶＯＤサービスは、ユーザーの好みの時間に、好みのコンテンツを視聴できるメリットがあり、また、提供するサービスも、映画、アニメやカラオケの他、ゲームや教育等の双方向性の高いサービス提供も可能であり、有用性が期待されている。
【０００３】
また、放送と通信の融合を図り、多チャンネル・高画質化が進む放送分野と、インターネット電話やＶＯＤを支える通信の高度化と高速化が進む通信分野の融合サービスの検討が進む中、データ放送をポータルサービスとして利用し、ＶＯＤサービスを組み合わせた双方向サービスも検討されている。
【０００４】
ところで、デジタルＣＡＴＶ放送の限定受信は、ＡＲＩＢ  ＳＴＤ−Ｂ２５  第３章に記載されている機能を実現したＣＡＳカード（限定受信カード）がＳＴＢに装着されて使用されており、ＣＡＴＶ局システムから各ＳＴＢの受信契約に応じて、ＣＡＴＶ用のＣＡＳカードであるＣ−ＣＡＳカード固有のＣＡＳＩＤ（限定受信カードＩＤ）を元に、個別制御されている。ＳＴＢの管理は各ＣＡＴＶに設置された顧客管理システムからＣＡＳＩＤとサービス内容が登録される。
【０００５】
一方、テレビ放送信号を受信する受信装置がインターネットを通じてサーバに接続された受信システムにおいて、特定のＴＶ視聴者の受信装置に対してのみ専用コンテンツを配信するしくみについて、特許文献１に提案されている。
【０００６】
ここでは、前記受信装置は、インターネットに接続してサーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記インターネットを通じてアクセスしてきた前記受信装置から前記受信装置特定情報を受け取り判定する受信装置特定情報判定手段と、その判定結果に基づいて、前記受信装置特定情報判定手段が判定した受信装置特定情報を有する受信装置に対してのみ、その受信装置からのアクセスに応じた所定のコンテンツを配信するコンテンツ配信手段とを備える受信システムである。
【０００７】
ここでは、受信装置特定情報保持手段は受信装置特定情報として、ＴＶ受信装置１台ごとに固有のＩＤ情報を保持しており、ＩＤ情報は、工場出荷時に予め固有となるようにＥＰＲＯＭなどに記録しておいても良いし、ユーザー登録時にソフトウェアによって装置内に保持しても良いとされている。
【０００８】
また、特許文献２には、開放型広域ネットワークに接続された情報提供サーバを利用して、ＣＡＴＶシステムの加入者に対する情報提供を行うシステムにおいて、ＣＡＴＶシステムの加入者宅に設置されたＳＴＢから、各ＣＡＴＶシステムの加入者専用のＷＷＷサーバへの接続要求が送信されると、インターネット上の認証サーバが、その接続要求を送信してきた装置が予め登録されている正規のＳＴＢであるか否かを、各ＳＴＢに付与された識別情報（ＳＴＢＩＤ）に基づき判定し、正規のＳＴＢからの接続要求である場合に限って、そのＳＴＢを、対応するＣＡＴＶシステムのＷＷＷサーバに接続させる旨が提案されている。
【特許文献１】特開２００４−１７９６９９号公報
【特許文献２】特開２００６−０７４５９９号公報
【発明の開示】
【発明が解決しようとする課題】
【０００９】
しかしながら、データ放送の仕組みを利用した双方向のポータルサービスを実現する場合、ポータル画面に入る段階で、ポータルサービスを許可されたユーザーにのみアクセスさせるために、ポータル認証を行う必要がある。たとえば、特定の会員のみのポータルサービスや、年齢制限のあるポータルサービスの場合等である。また、特にアクセス制限を設ける意図はなくても、セキュリティ上、認証は重要である。
【００１０】
また、ポータルサービスとＶＯＤサービスと組み合わせて、双方向サービスを行う場合は、ＶＯＤサービスの視聴確認の前に、ＶＯＤサービスを許可されたユーザーにのみ提供するために、ポータル画面でのポータル認証を行う必要がある。
【００１１】
ポータル認証のしくみを検討する場合、従来のＣＡＴＶ放送の限定受信で使用されているＣＡＳＩＤを使用すると、ユーザーはＩＤ入力や、パスワード入力が不要となり、使い易いシステムとなる。また、ＣＡＳＩＤを元に管理すると、従来の顧客管理システムがそのまま利用できるため、管理運用上容易である。従って、ＣＡＳＩＤを前提にポータル認証システムを検討する必要がある。
【００１２】
なお、特許文献１および特許文献２で提案されているＳＴＢＩＤによって受信機を特定すると、従来の放送系との顧客管理システムとは別に管理が必要である。また、ＳＴＢは複数のメーカーが製造販売しているため、番号付与が各ＳＴＢメーカーによりまちまちである。また、ＳＴＢＩＤの番号付与については、ＡＲＩＢ規格（社団法人  電波産業会）では、任意となっており、ＳＴＢＩＤを付与していない場合も想定される。
【００１３】
ところで、従来の放送サービスにおいては、各ＱＡＭ（直交振幅）変調器出力に接続されたＳＴＢに共通のサービスを提供しているため、ユーザーが提供されたＳＴＢからＣＡＳカードを別のＳＴＢに挿入しても、別のＳＴＢでユーザーが契約しているサービスを視聴することが可能である。しかし、ＶＯＤサービスの場合は、提供される画面情報が各ＳＴＢで異なるため、ＣＡＴＶ局との契約で提供されたＳＴＢ以外のＳＴＢにＣＡＳカードを挿入し、双方向サービスを視聴しようとした場合、適切に視聴できない場合が生じる。
【００１４】
図１６は、ポータルサービスを含む放送サービスとＶＯＤサービスを組み合わせた双方向サービスのシステム構成を示すブロック図の例である。
【００１５】
これは、ＶＯＤサーバ５は、送出ポートを有するが、１つの送出能力は有限であるため、多数のＳＴＢを対象にサービスを行う場合は、複数の送出ポートを有し、同時送出を管理する必要があるためである。従って、ＶＯＤサーバ５では、登録されたＣＡＳＩＤが接続されたＱＡＭ変調器出力にＶＯＤサービスを提供するが、実際には、ユーザーが操作しているＳＴＢ２が、登録されたとは別のＱＡＭ変調器出力に接続されている可能性があるため、この場合は、ＶＯＤサービスがそのＱＡＭ変調器出力に流れないためである。
【００１６】
また、双方サービスの内容によっては、ＳＴＢの仕様によって適切に使用できないサービスが想定される。例えば、ＳＴＢに搭載したカメラ映像を使用した双方向サービスは、カメラを搭載しないＳＴＢでは利用できない。このように、ＳＴＢの有する機能に応じた双方向サービスを適切に提供できないという課題がある。
【００１７】
また、ＳＴＢの構造によっては、前記受信機特定情報を設定する手段はＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリに保持されるが、通信のコマンドで読み出せるメモリ領域は、ＮＶ−ＲＡＭ（Ｎｏｎ−Ｖｏｌａｔｉｌｅ  Ｒａｎｄｏｍ  Ａｃｃｅｓｓ  Ｍｅｍｏｒｙ）等保持の信頼性が高くない場合は、データの喪失等のために、前記受信機特定情報を正しく読み出せない場合が想定される。
【００１８】
また、前記受信機特定情報は、複数のＳＴＢメーカーごとにまちまちであり、統一的に
管理するには不向きという課題がある。さらに、統一的な受信機特定情報を各ＳＴＢメーカーで設定するには、挿入するＣＡＳカードとの組み合わせの情報を各ＳＴＢメーカーで管理する必要があり、通常、ＣＡＳカードの供給元とＳＴＢメーカーは別であるため、管理運用上工数が大きいという課題がある。
【課題を解決するための手段】
【００１９】
第１の発明に係るＣＡＴＶポータル認証システムは、受信機を特定する第１の受信機情報と第２の受信機情報と、前記ポータルサービスの認証画面表示時に前記認証画面を構成するコンテンツデータに関連付けられた第１の受信機情報取得コマンドを処理する第１のコマンド処理部と、第２の受信機情報取得コマンドを処理する第２のコマンド処理部を前記受信機に備え、前記第１の受信機情報と、前記第２の受信機情報を前記受信機から取得し、前記ＣＡＴＶ局に送信し、前記受信機のポータル画面の入力認証を行うポータル認証サーバにおいて、あらかじめ登録された前記第１の受信機情報と前記第２の受信機情報を関連付けて保持する保持部と、前記受信機から取得した前記第１の受信機情報と前記保持部に保持する第１の受信機情報とを比較判定する第１の比較判定部と、前記受信機から取得した前記第２の受信機情報と前記保持部に保持する前記第１の受信機情報に関連付けられた第２の受信機情報を比較判定する第２の比較判定部とを設け、前記第１の比較判定部の結果が該当でかつ、前記第２の比較判定部の結果が該当の場合、前記ポータルサービス画面の表示を前記ポータルサーバに対し許可するものである。
【００２０】
また、前記ポータルサーバに、特定の画面データを構成するためのコンテンツデータ保持部を設け、前記ポータル認証サーバで、前記第１の比較判定部の結果が該当でかつ、前記第２の比較判定部の結果が非該当の場合、および、前記第１の比較判定部の結果が非該当の場合、前記比較判定結果に従い、前記コンテンツデータ保持部のコンテンツデータを送出するよう前記ポータルサーバに通知し、前記ポータルサーバから前記受信機に前記特定の画面を構成するコンテンツデータ送信し、前記受信機で表示するものである。
【００２１】
第２の発明に係るＣＡＴＶポータル認証システムは、前記ポータル認証サーバに、あらかじめ前記第２の受信機情報に関連付けられた受信機の接続情報を保持する接続情報保持部と、前記第２の受信機情報から前記関連付けられた接続情報を検索する接続情報検索部を設け、前記ポータル認証サーバで、前記第１の比較判定部の結果が該当でかつ、前記第２の比較判定部の結果が非該当の場合、前記受信機から取得した第２の受信機情報を元に、前記接続情報検索部で前記接続情報保持部を検索し、検索結果の該当接続情報を前記ポータルサーバに通知し、前記ポータルサーバは通知された接続情報をＶＯＤサーバに通知し、ＶＯＤサーバは該接続先のネットワークにＶＯＤサービス情報を送出するものである。
【００２２】
第３の発明に係るＣＡＴＶポータル認証システムは、前記ポータル認証サーバに、あらかじめ前記第２の受信機情報に関連付けられた受信機で対応可能なサービス情報を保持するサービス情報保持部と、前記第２の受信機情報から前記関連付けられたサービス情報を検索するサービス情報検索部を設け、前記第１の比較判定部の結果が該当でかつ、前記第２の比較判定部の結果が該当の場合、前記受信機から取得した第２の受信機情報を元に、前記サービス情報検索部で前記サービス情報保持部を検索し、検索結果の該当サービス情報を前記ポータルサーバに通知し、前記ポータルサーバは通知された受信機で対応可能なサービス情報を元に、対応するポータルサービス画面情報を送出するものである。
【００２３】
第４の発明に係るＣＡＴＶポータル認証システムは、前記ＣＡＴＶ用受信機に、受信機の機能を特定する第３の受信機情報と、前記ポータルサービス画面を構成するコンテンツデータに関連付けられた第３の受信機情報取得コマンドを処理するコマンド処理部を備え、前記ポータル認証サーバに、あらかじめ前記第３の受信機情報に関連付けられた受信機で対応可能なサービス情報を保持するサービス情報保持部と、前記第３の受信機情報から前記関連付けられたサービス情報を検索するサービス情報検索部を設け、前記第１の比較判定部の結果が該当でかつ、前記第２の比較判定部の結果が該当の場合、前記受信機から取得した第３の受信機情報を元に、前記サービス情報検索部で前記サービス情報保持部を検索し、検索結果の該当サービス情報を前記ポータルサーバに通知し、前記ポータルサーバは通知された受信機で対応可能なサービス情報を元に、対応するポータルサービス画面情報を送出するものである。
【００２４】
第５の発明に係るＣＡＴＶポータル認証システムは、前記ポータル認証サーバに、前記第２の受信機情報を調査する受信機情報調査部を設け、前記受信機情報調査部の結果が非適合の場合、前記ポータルサーバに前記第２の受信機情報を設定する指示を通知し、その後、前記第２の受信機情報を取得する指示を通知し、通知された前記ポータルサーバは、前記受信機に前記第２の受信機情報設定コマンドを送出し、その後、前記第２の受信機情報取得コマンドを送出するものである。
【００２５】
第６の発明に係るＣＡＴＶポータル認証システムは、前記ポータル認証サーバに、前記第２の受信機情報を発生する受信機情報発生部を設け、前記受信機情報登録後の最初のポータル認証時、前記第１の受信機情報に関連した前記第２の受信機情報を発生、保持し、前記ポータルサーバに前記発生した第２の受信機情報および設定指示を通知し、通知された前記ポータルサーバは、前記通知された第２の受信機情報および設定コマンドを送出するものである。
【発明の効果】
【００２６】
本発明に係るＣＡＴＶポータル認証システムによれば、ＳＴＢから取得した第１と第２の受信機情報と、あらかじめ登録された第１の受信機情報と、第１の受信機情報に関連付けてあらかじめ登録された第２の受信機情報とを比較するので、あらかじめ登録されたＳＴＢに対してのみ双方向サービスを提供できる。
【００２７】
さらに、ポータルサーバに、特定の画面データを構成するためのコンテンツデータ保持部を設けるので、登録されたＳＴＢとは異なるＳＴＢで双方向サービスを受信しようとするユーザーに対して、適切な注意を喚起する表示を行うことができる。
【００２８】
さらに、ポータル認証サーバに、あらかじめ第２の受信機情報に関連付けられた受信機の接続情報を保持する接続情報保持部と、接続情報検索部を設けるので、登録されたＳＴＢとは異なるＳＴＢでＶＯＤサービスを受信しようとするユーザーに対しても、適切にＶＯＤサービスを提供することができる。
【００２９】
さらに、ポータル認証サーバに、あらかじめ第２の受信機情報に関連付けられた受信機で対応可能なサービス情報を保持するサービス情報保持部と、サービス情報検索部を設けるので、受信機で対応可能なサービスを適切に提供することができる。
【００３０】
さらに、受信機から取得した第３の受信機情報を元に、あらかじめ登録された第３の受信機情報に関連付けられた受信機で対応可能なサービス情報を検索するので、受信機で対応可能なサービスを適切に提供することができる。
【００３１】
さらに、前記ポータル認証サーバに、前記第２の受信機情報を調査する受信機情報調査部を設け、前記受信機情報調査部の結果が非適合の場合、前記ポータルサーバに前記第２の受信機情報を設定するので、受信機で失われた受信機情報を適切に設定しサービスを適切に提供することができる。
【００３２】
また、前記ポータル認証サーバに、前記第２の受信機情報を発生する受信機情報発生部を設けるので、前記第２の受信機情報を統一的に管理でき、管理工数を少なく運用することができる。
【発明を実施するための最良の形態】
【００３３】
（実施の形態１）
本発明の実施の形態１に係るデジタルＣＡＴＶシステムのポータル認証システムについて、図を参照しながら説明する。
【００３４】
図１は、本発明の実施の形態１に係るポータル認証システムの構成を示すブロック図である。本実施の形態では、放送の再送信を行う再送信設備６、ポータルサービスを行うポータルサーバ１に加え、ＶＯＤサービスを行うＶＯＤサーバ５で送信設備を構成する。これらのサービス信号ａ１〜ａ３は混合器７で混合され、混合信号ｂがＳＴＢ２に供給される。ＳＴＢ２で受信した映像、音声、データ信号は処理され、ＴＶ受信機４で表示される。また、ポータル画面アクセス時にＳＴＢ２からのアクセス信号ｄを元に認証を行うポータル認証サーバ３が前記ポータルサーバ１に接続されている。顧客管理システム８からポータル認証サーバ３に登録された受信機情報および契約情報が通知される。前記通知される受信機情報は、通信部３１−２を経由し、処理部３２が、受信機情報保持部３５に保存する。保持されるデータは、ＣＡＴＶの放送の限定受信を制御するＣＡＳカードのＩＤであるＣＡＳＩＤ、ＳＴＢの管理番号であるＳＴＢＩＤ等の受信機情報である。
【００３５】
ポータルサービスとＶＯＤサービスの連携は、例えば、ポータル画面を構成するメニューをポータルサーバ１が送出し、ポータル画面からユーザーがＶＯＤサービスのメニューを選択すると、ＳＴＢ２からポータルサーバ１に通知が行われ、ポータルサーバ１では、通知内容から、ＶＯＤサーバ５へのコマンド変換を行い、ＶＯＤサーバ５に対する指示を行う。
【００３６】
なお、図を簡単にするために、ＳＴＢ２は各ユーザー宅に設置されるが、本図では１台のみ記述している。また、ネットワーク機器は省略している。
【００３７】
以降ＳＴＢ２の構成と動作について詳細に説明する。映像信号（音声、データを含む）ｂはデスクランブル部２１でデスクランブルされ、表示部２７を経由して、ＴＶ受信機４に送出される。デスクランブル時のスクランブル鍵はＣＡＳカード２２から提供される。
【００３８】
次に、ポータル認証時、画面を構成するＢＭＬコンテンツデータに記載したコマンドをコマンド処理部２３で解析し、第１の受信機情報を読み出すコマンドの場合、第１のコマンド処理部２４−１で、第１の受信機情報保持部２５−１に保持する第１の受信機情報を読み出し、前記コマンド処理部２３は、読み出した前記第１の受信機情報を通信部２８から、ポータルサーバ１に通知する。ここで、第１の受信機情報は出荷情報設定部２６が、あらかじめＣＡＳカード２２から読み出し、前記第１の受信機情報保持部２５−１に保存したＣＡＳカードの特定情報であるＣＡＳＩＤである。前記第１の受信機情報は、ＣＡＳカードが挿入された場合、電源が投入された場合等に再設定される。
【００３９】
第１の受信機情報を読み出すコマンドは、例えば「ｇｅｔ＿ＩＲＤ＿ＩＤ＿２」のように定義される。ここで、コマンドの最後の数字「２」は引数であり、ＣＡＴＶ用ＣＡＳカードを示すものとする。
【００４０】
同様に、第２の受信機情報を読み出すコマンドの場合、第２のコマンド処理部２４−２で、第２の受信機情報保持部２５−２に保持する第２の受信機情報を読み出し、前記コマンド処理部２３は、読み出した前記第２の受信機情報を通信部２８から、ポータルサーバ１に通知する。ここで、第２の受信機情報はＳＴＢ２の製造時、出荷設定情報として、出荷情報設定部２６を経由して、前記第２の受信機情報保持部２５−２に保存したＳＴＢの特定情報であるＳＴＢＩＤである。
【００４１】
第２の受信機情報を読み出すコマンドは、例えば「ｇｅｔ＿ＳＴＢ＿ＩＤ」のように定義される。
【００４２】
上記において、前記第１の受信機情報保持部２５−１および、前記第２の受信機情報保持部２５−２は書き換え可能な不揮発性メモリが使用される。
【００４３】
次に前記ポータル認証サーバ３の構成と動作を説明する。ＳＴＢ２からのアクセス通知ｄはポータルサーバ１を経由し、前記ポータル認証サーバ３に通知ｅで通知される。前記通知ｅは、通信部３１−１を経由し、処理部３２で受け付けられ、通知内容は一時的にメモリ部３３に保持される。前記通知内容が第１の受信機情報の場合は、第１の比較判定部３４−１で、受信機情報保持部３５に保持するＣＡＳＩＤを検索し、該当データがあるかどうかを比較判定する。前記判定結果が該当の場合、同様に、通知内容が第２の受信機情報の場合は、第２の比較判定部３４−２で、受信機情報保持部３５に保持するＳＴＢＩＤを検索し、該当データがあるかどうかを比較判定する。
【００４４】
次に、図２は、本発明の実施の形態１に係る受信機情報のデータ構造を示す構造図で、前記受信機情報保持部３５が保持している受信機情報のデータ構造を示している。受信機情報は、顧客管理システム８から通信部３１−２を経由して処理部３２が受信機情報保持部３５に登録させる。
【００４５】
図２の１行が１台のＳＴＢの管理単位を表す。第１の列は、ＣＡＳＩＤである。第２の列は前記ＣＡＳＩＤに関連付けられたＳＴＢＩＤである。次に第３列は、このＳＴＢＩＤに関連付けられた接続情報であるノードＩＤである。第４列は、前記ＳＴＢＩＤに関連付けられたモデルＩＤである。同様に第５列は、前記モデルＩＤと関連するサービス情報である。サービス情報は、例えば通常の双方向サービスが可能な機種の場合をＡとし、カメラ付きの双方向サービスが可能な機種の場合をＢとする。
【００４６】
ここで、図３の本発明の実施の形態１に係る第１と第２の受信機情報を比較するフローチャートと前記図２のデータ構造を示す構造図を用いて、比較判定動作をより詳細に説明する。
【００４７】
図２の第１の列（ＣＡＳＩＤ）を検索し、前記第１の受信機情報を比較し（Ｓ２）、その比較結果が該当で、図２の第２の列（ＳＴＢＩＤ）を検索し、前記第２の受信機情報を比較し（Ｓ３）、その比較結果が該当の場合、ポータル画面表示を許可する旨の通知を行う（Ｓ４）。通知を受けたポータルサーバ１は、ポータル情報の送出を該当ＳＴＢ２に行う。
【００４８】
一方、図２の第１の列（ＣＡＳＩＤ）を検索し、前記第１の受信機情報を比較し（Ｓ２）、その比較結果が非該当の場合は、契約されていない旨の通知を行う（Ｓ６）。通知を受けたポータルサーバ１は、あらかじめ登録されている、契約されていない旨の画面データの送出を該当ＳＴＢ２に行う。
【００４９】
一方、図２の第１の列（ＣＡＳＩＤ）を検索し、前記第１の受信機情報を比較し（Ｓ２）、その比較結果が該当の場合で、図２の第２の列（ＳＴＢＩＤ）を検索し、前記第２の受信機情報を比較し（Ｓ３）、その比較結果が非該当の場合、登録された受信機からのアクセスでない旨の通知を行う（Ｓ７）。通知を受けたポータルサーバ１は、あらかじめ登録されている、登録された受信機からのアクセスでない旨の画面データの送出を該当ＳＴＢ２に行う。
【００５０】
次に、図４は、本発明の実施の形態１に係るポータルサーバ１の構造を示すブロック図である。
【００５１】
ポータルサーバ１は、ポータル認証サーバ３から、契約されていない旨の通知（Ｓ６）を受けると、通信部１２を経由し、処理部１１で、あらかじめ登録されている該当コンテンツデータをコンテンツデータ保持部１６から読み出し、送出部１４を経由し、混合器７経由でＳＴＢ２に送出する。
【００５２】
登録された受信機からのアクセスでない旨の通知（Ｓ７）を受けた場合も、同様である。
【００５３】
なお、図２では、関連情報を１つのデータリストの構造で表したが、特にリストの構造に意味がある訳ではなく、関連する一部の情報を別リストで管理するようにしても良い。また、１つのデータに関係を表す情報を付与し、管理するようにしても良い。
【００５４】
なお、本実施例では、第１の受信機情報の比較結果が非該当の場合および、第１の受信機情報の比較結果が該当で、かつ、第２の受信機情報の比較結果が非該当の場合、ポータルサーバ１のコンテンツデータ保持部に保持したコンテンツを送出するとしたが、ポータル認証時、第１の受信機情報の比較結果が該当で、かつ、第２の受信機情報の比較結果が該当の場合に、認証したユーザー向けに、ユーザー個人に合わせたウエルカムメッセージのようなコンテンツを送出しても良い。
【００５５】
なお、本実施例では、第１と第２のコマンド処理部２４−１、２４−２をコマンド処理部２３とは別に設けたが、コマンド処理部２３に含めても良い。また、第１と第２の比較判定部３４−１、３４−２を処理部３２とは別に設けたが、処理部３２に含めても良い。
【００５６】
以上のように、本実施の形態によれば、あらかじめ登録されたＳＴＢに対してのみ双方向サービスを提供できる。さらに、登録されたＳＴＢとは異なるＳＴＢで双方向サービスを受信しようとするユーザーに対して、適切な注意を喚起する表示を行うことができる。
【００５７】
（実施の形態２）
本発明の別の実施の形態２に係るデジタルＣＡＴＶシステムのポータル認証システムについて、図を参照しながら説明する。
【００５８】
図５は、本発明の実施の形態２に係るポータル認証サーバの構造を示すブロック図である。他の構成は実施の形態１の図１と同様であるので説明は省略する。図５のポータル認証サーバ３−２は、図１に示すポータル認証サーバ３の構成に加え、接続情報保持部３６、接続情報検索部３７が追加されている。
【００５９】
実施の形態１と同様に、ＳＴＢ２からのアクセス通知ｄはポータルサーバ１を経由し、前記ポータル認証サーバ３−２に通知ｅで通知される。前記通知ｅは、図５の通信部３１−１を経由し、処理部３２で受け付けられ、通知内容は一時的にメモリ部３３に保持される。前記通知内容が第１の受信機情報の場合は、第１の比較判定部３４−１で、受信機情報保持部３５に保持するＣＡＳＩＤを検索し、該当データがあるかどうかを比較判定する。前記判定結果が該当の場合、同様に、通知内容が第２の受信機情報の場合は、第２の比較判定部３４−２で、受信機情報保持部３５に保持するＳＴＢＩＤを検索し、該当データがあるかどうかを比較判定する。その比較結果が非該当の場合、ＳＴＢＩＤである第２の受信機情報を元に、ＳＴＢＩＤが接続されている情報を検索するために、ノードＩＤ等の受信機の接続情報を前記接続情報保持部３６に保持し、前記接続情報保持部３６内の受信機の接続情報を検索する前記接続情報検索部３７を追加した構成としている。
【００６０】
次に、図６の本発明の実施の形態２に係る第１と第２の受信機情報を比較するフローチャートを加えて、前記比較判定の処理を説明する。
【００６１】
第１の比較判定部３４−１で前記第１の受信機情報を比較し（Ｓ２）、その比較結果が該当の場合、第２の比較判定部３４−２で前記第２の受信機情報を比較し（Ｓ３）、その比較結果が非該当の場合、前記第２の受信機情報を元に、前記接続情報保持部３６に保持されているノードＩＤ等の受信機の接続情報を前記接続情報検索部３７で検索し（Ｓ８）、検索結果の該当接続情報を、ポータルサーバ１に通知する（Ｓ９）。通知を受けたポータルサーバ１は、ＶＯＤサーバ５に前記該当接続情報を通知する。通知を受けたＶＯＤサーバは、あらかじめ登録された接続情報のネットワークではなく、現在ユーザーが操作しているＳＴＢ２が接続された前記該当接続情報のネットワークにＶＯＤサービスコンテンツを送出する。
【００６２】
図６のその他の処理は、実施の形態１に示した図３と同様である。
【００６３】
なお、前記接続情報検索部３７の動作は、例えば、前記第２の受信機情報は図２の第２列の情報（ＳＴＢＩＤ）を検索し、該当ＳＴＢＩＤの行の第３列の接続情報（ノードＩＤ）を検索する。
【００６４】
なお、本実施例では、接続情報検索部３７を処理部３２とは別に設けたが、処理部３２に含めても良い。
【００６５】
以上のように、本実施の形態によれば、登録されたＳＴＢとは異なるＳＴＢでＶＯＤサービスを受信しようとするユーザーに対しても、ＣＡＤＩＤに基づいて適切にＶＯＤサービスを提供することができる。
【００６６】
（実施の形態３）
本発明の別の実施の形態３に係るデジタルＣＡＴＶシステムのポータル認証システムについて、図を参照しながら説明する。
【００６７】
図７は、本発明の実施の形態３に係るポータル認証サーバの構造を示すブロック図である。他の構成は実施の形態１の図１と同様であるので説明は省略する。図７のポータル認証サーバ３−３は、図１に示すポータル認証サーバ３の構成に加え、サービス情報保持部３８、サービス報検索部３９が追加されている。
【００６８】
実施の形態１と同様に、ＳＴＢ２からのアクセス通知ｄはポータルサーバ１を経由し、前記ポータル認証サーバ３−３に通知される。前記通知ｅは、図５の通信部３１−１を経由し、処理部３２で受け付けられ、通知内容が第１の受信機情報の場合は、第１の比較判定部３４−１で、受信機情報保持部３５に保持するＣＡＳＩＤを検索し、該当データがあるかどうかを比較判定する。前記判定結果が該当の場合、同様に、通知内容が第２の受信機情報の場合は、第２の比較判定部３４−２で、受信機情報保持部３５に保持するＳＴＢＩＤを検索し、該当データがあるかどうかを比較判定する。その比較結果が該当の場合、ＳＴＢＩＤである第２の受信機情報を元に、ＳＴＢのモデルに依存するサービス情報を検索するために、サービス情報を前記サービス情報保持部３８に保持し、前記サービス情報保持部３８内のサービス情報を検索する前記サービス報検索部３９を追加した構成としている。
【００６９】
次に、図８の本発明の実施の形態３に係る第１と第２の受信機情報を比較するフローチャートを加えて、前記比較判定の処理を説明する。
【００７０】
第１の比較判定部３４−１で前記第１の受信機情報を比較し（Ｓ２）、その比較結果が該当の場合、第２の比較判定部３４−２で前記第２の受信機情報を比較し（Ｓ３）、その比較結果が該当の場合、前記第２の受信機情報を元に、前記サービス情報保持部３８に保持されているＳＴＢのモデルに依存するサービス情報を前記サービス情報検索部３９で検索し（Ｓ１０）、検索結果の該当サービス情報を、ポータルサーバ１に通知する（Ｓ１１）。通知を受けたポータルサーバ１は、通知された該サービス情報に対応する双方向サービスを提供することにより、ＳＴＢ２に適切なサービスを提供することができる。
【００７１】
図８のその他の処理は、実施の形態１に示した図３と同様である。
【００７２】
前記接続情報検索部３９の動作は、例えば、前記第２の受信機情報は図２の第２列の情報（ＳＴＢＩＤ）を検索し、該当ＳＴＢＩＤの行の第５列のサービス情報を検索する。
【００７３】
なお、本実施例では、サービス情報検索部３９を処理部３２とは別に設けたが、処理部３２に含めても良い。
【００７４】
以上のように、本実施の形態によれば、受信機で対応可能なサービスを適切に提供することができる。
【００７５】
（実施の形態４）
本発明の別の実施の形態４に係るデジタルＣＡＴＶシステムのポータル認証システムについて、図を参照しながら説明する。
【００７６】
本実施の形態によるＳＴＢは、図９に示す構造のＳＴＢであり、ポータル認証サーバは実施の形態３の図７に示すポータル認証サーバである。その他の構成は実施の形態１の図１と同様である。
【００７７】
図９は、本発明の実施の形態４に係るＳＴＢの構造を示すブロック図である。図９のＳＴＢ２−２は、図１に示すＳＴＢ２の構成に加え、第３の受信機情報保持部２５−３、第３のコマンド処理部２４−３が追加されている。
【００７８】
実施の形態１と同様に、ポータル認証時、画面を構成するＢＭＬコンテンツデータに記載したコマンドをコマンド処理部２３で解析し、第３の受信機情報を読み出すコマンドの場合、第３のコマンド処理部２４−３で、第３の受信機情報保持部２５−３に保持する第３の受信機情報を読み出し、前記コマンド処理部２３は、読み出した前記第３の受信機情報を通信部２８から、ポータルサーバ１に通知する。
【００７９】
第３の受信機情報を読み出すコマンドは、例えば「ｇｅｔ＿Ｍｏｄｅｌ＿ＩＤ」のように定義される。
【００８０】
ここで、第３の受信機情報はＳＴＢ２の製造時、出荷設定情報として、出荷情報設定部２６を経由して、前記第３の受信機情報保持部２５−３に保存したＳＴＢの型を特定する情報である。例えばモデルＩＤあるいは機種ＩＤである。他の構成は図１と同様である。
【００８１】
上記において、前記第１の受信機情報保持部２５−１および、前記第２の受信機情報保持部２５−２と同様、前記第３の受信機情報保持部２５−３は書き換え可能な不揮発性メモリが使用される。
【００８２】
次に、本実施の形態によるポータル認証サーバの動作を図１０の本発明の実施の形態４に係る第１と第２の受信機情報を比較するフローチャートを加えて説明する。
【００８３】
第１の比較判定部３４−１で前記第１の受信機情報を比較し（Ｓ２）、その比較結果が該当の場合、第２の比較判定部３４−２で前記第２の受信機情報を比較し（Ｓ３）、その比較結果が該当の場合、第３の受信機情報（例えばモデルＩＤ）を元に、サービス情報保持部３８に保持された各ＳＴＢの対応可能なサービス内容を、サービス情報検索部３９で検索し（Ｓ１２）、検索結果の該当サービス情報をポータルサーバ１に通知する（Ｓ１１）。通知を受けたポータルサーバ１では、通知された該サービス情報に対応する双方向サービスを提供することにより、ＳＴＢ２に適切なサービスを提供することができる。
【００８４】
図１０のその他の処理は、実施の形態１に示した図３と同様である。
【００８５】
なお、本実施例では、第３のコマンド処理部２４−３を処理部２３とは別に設けたが、処理部２３に含めても良い。
【００８６】
以上のように、本実施の形態によれば、受信機で対応可能なサービスを適切に提供することができる。
【００８７】
（実施の形態５）
本発明の別の実施の形態５に係るデジタルＣＡＴＶシステムのポータル認証システムについて、図を参照しながら説明する。
【００８８】
図１１は、本発明の実施の形態５に係るポータル認証サーバの構造を示すブロック図である。他の構成は実施の形態１の図１と同様であるので説明は省略する。図１１のポータル認証サーバ３−４は、図１に示すポータル認証サーバ３の構成に加え、受信機情報調査部３０１が追加されている。
【００８９】
実施の形態１と同様に、ＳＴＢ２からのアクセス通知ｄはポータルサーバ１を経由し、前記ポータル認証サーバ３−４に通知ｅで通信される。前記通知ｅは、図１１の通信部３１−１を経由し、処理部３２で受け付けられ、通知内容は一時的にメモリ部３３に保持される。処理部３２は、通知内容が、第２の受信機情報の場合、受信機情報調査部３０１に前記通知内容を通知し、あらかじめ定められた範囲内の値かどうかを調査する。例えば、桁数や、使用されている数値の範囲や、許可された種類の文字かどうか等を調査する。調査結果が適合なら、以降は、実施の形態１の処理を行う。調査結果が、非適合の場合は、ポータルサーバ１に対して、前記第２の受信機情報を設定するよう通知する。その後、前記第２の受信機情報を取得するよう通知する。通知を受けた、前記ポータルサーバ１は、ＳＴＢ２に対して、前記第２の受信機情報を設定するコマンドを送付する。その後、前記第２の受信機情報を取得するコマンドを送付する。
【００９０】
次に、図１２の本発明の実施の形態５に係る第２の受信機情報を調査するフローチャートを加えて、前記調査の処理を説明する。
【００９１】
前記通知内容が、第２の受信機情報の場合、前記受信機情報調査部３０１に通知された前記通知内容を調査し（Ｓ１０２）、その結果が、適合の場合は、実施の形態１と同様、図３の処理（Ｓ１）を行う。一方、その結果が、非適合の場合は、前記ポータルサーバ１に前記第２の受信機情報を設定するよう通知し（Ｓ１０３）、その後、前記第２の受信機情報を取得するよう通知する（Ｓ１０４）。以降の処理は実施の形態１と同様である。
【００９２】
次に、図１３の本発明の実施の形態５に係るＳＴＢの構造を示すブロック図を用いて説明する。
【００９３】
出荷設定情報保持時、前記出荷情報設定部２６は、例えばＥＥＰＲＯＭで構成する出荷情報保持部２０２に情報を保持すると共に、ＮＶ−ＲＡＭ等で構成する前記第１の受信機情報保持部２５−１および前記第２の受信機情報保持部２５−２に情報を保持する。前記第１の受信機情報保持部２５−１および前記第２の受信機情報保持部２５−２は、前記第１のコマンド処理部２４−１および第２のコマンド処理部２４−２から、前記コマンド処理部２３を経由して、読み出せるメモリ領域であるが、前記出荷情報保持部２０２は、前記コマンド処理部２３からは読み出せないメモリ領域である。
【００９４】
前記コマンド処理部２３は、前記第２の受信機情報設定コマンドを受信すると、第２の受信機情報設定処理部２０１に、前記第２の受信機情報設定を指示する。前記第２の受信機情報設定処理部２０１は、前記出荷情報設定部２６に対して、前記第２の受信機情報保持部２５−２に、前記第２の受信機情報を設定するように指示する。前記出荷情報設定部２６は、出荷情報保持部２０２から、前記第２の受信機情報を読み出し、前記第２の受信機情報保持部２５−２に読み出した情報を設定する。
【００９５】
前記第２の受信機情報を読み出す処理は、実施の形態１と同様である。
【００９６】
以上のように、本実施の形態によれば、受信機で失われた受信機情報を適切に設定しサービスを適切に提供することができる。
【００９７】
（実施の形態６）
本発明の別の実施の形態５に係るデジタルＣＡＴＶシステムのポータル認証システムについて、図を参照しながら説明する。
【００９８】
図１４は、本発明の実施の形態５に係るポータル認証サーバの構造を示すブロック図である。他の構成は実施の形態１の図１と同様であるので説明は省略する。図１４のポータル認証サーバ３−５は、図１に示すポータル認証サーバ３の構成に加え、前記第２の受信機情報を発生する受信機情報発生部３０２が追加されている。
【００９９】
図１の顧客管理システム８から前記第１の受信機情報としてＣＡＳＩＤが前記ポータル認証サーバ３−５に登録後、実施の形態１と同様に認証時、第１の受信機情報と未設定の第２の受信機情報を前記ポータル認証サーバ３−５に送付する。前記ポータル認証サーバ３−５の処理部３２は、前記送付された第１の受信機情報を元に、前記受信機情報保持部３５を調査し、前記送付された第１の受信機情報に関連する第２の受信機情報が未発生であることを確認すると、前記受信機情報発生部３０２で、前記第１の受信機情報に関連する第２の受信機情報を発生し、前記受信機情報保持部３５に、前記第１の受信機情報と関連付けて前記第２の受信機情報を保持する。保持の仕方は、実施の形態１の図２で示したと同様である。なお、発生する前記第２の受信機情報は、乱数、一連の管理番号、ライセンスコード等の任意の管理情報である。また、前記第２の受信機情報を発生したかどうかは、例えば前記図２に、発生済みを示すフラグを追加することによって判断できる（図示せず）。
【０１００】
前記ポータル認証サーバ３−５は、前記発生した第２の受信機情報および設定指示を前記ポータルサーバ１に通知する。通知を受けた前記ポータルサーバ１は、前記通知された第２の受信機情報および設定コマンドをＳＴＢに通知する。前記ＳＴＢのコマンド処理部２３は、前記通知された第２の受信機情報を第２のコマンド処理部２４−２を経由して、第２の受信機情報保持部２５−２に保持する。
【０１０１】
以降の認証時の動作は前記実施の形態１と同様であるので、説明は省略する。
【０１０２】
次に、図１５の本発明の実施の形態６に係る第２の受信機情報を発生するフローチャートを加えて、前記の処理を説明する。
【０１０３】
前記ポータル認証サーバ３−５は、認証時、前記第１の受信機情報が該当の場合（Ｓ２）、第２の受信機情報が未発生かどうかを調査し（Ｓ１１１）、未発生の場合、第２の受信機情報を発生、保持し（Ｓ１１２）、ポータルサーバ１に対して、第２の受信機情報の設定を指示する（Ｓ１１３）。他の処理は実施の形態１と同様であるため省略する。
【０１０４】
以上のように、本実施の形態によれば、前記第２の受信機情報を統一的に管理でき、管理工数を少なく運用することができる。
【０１０５】
なお、本実施の形態１から６では、ＢＭＬデータ放送を対象に説明をおこなったが、双方向のデータ放送のしくみが構築できれば良く、他の言語、例えばＨＴＭＬ（Ｈｙｐｅｒ  Ｔｅｘｔ  Ｍａｒｋｕｐ  Ｌａｎｇｕａｇｅ）でも良い。
【０１０６】
なお、本実施の形態１から６では、第１の受信機情報を例えばＣＡＴＶ用のＣＡＳカードのＣＡＳＩＤとして説明したが、顧客管理に使用しているＩＤであれば良く、例えばＢ−ＣＡＳカードでも良い。
【０１０７】
なお、本実施の形態１から５では、第２の受信機情報を例えばＳＴＢＩＤとして説明したが、受信機を特定する情報であれば良く、ＳＴＢＩＤに限定するものではなく、例えばＭＡＣアドレスや、独自に付与した番号でも良い。独自に付与する番号としては、乱数あるいは一定のしくみで発生させる管理番号や、ライセンスコードでも良い。
【産業上の利用可能性】
【０１０８】
本発明は、ポータルサーバ、ＶＯＤサーバ、受信機、ポータル認証システムから構成されるデジタルＣＡＴＶシステムにおいて、双方向サービスであるデータ放送によるポータルサービスおよび、ポータルサービスと組み合わせたＶＯＤサービスを行う、ポータル認証システムに利用できる。
【図面の簡単な説明】
【０１０９】
【図１】本発明の実施の形態１に係るポータル認証システムの構成を示すブロック図
【図２】本発明の実施の形態１に係る受信機情報のデータ構造を示す構造図
【図３】本発明の実施の形態１に係る第１と第２の受信機情報を比較するフローチャート
【図４】本発明の実施の形態１に係るポータルサーバの構造を示すブロック図
【図５】本発明の実施の形態２に係るポータル認証サーバの構造を示すブロック図
【図６】本発明の実施の形態２に係る第１と第２の受信機情報を比較するフローチャート
【図７】本発明の実施の形態３に係るポータル認証サーバの構造を示すブロック図
【図８】本発明の実施の形態３に係る第１と第２の受信機情報を比較するフローチャート
【図９】本発明の実施の形態４に係るＳＴＢの構造を示すブロック図
【図１０】本発明の実施の形態４に係る第１と第２の受信機情報を比較するフローチャート
【図１１】本発明の実施の形態５に係るポータル認証サーバの構造を示すブロック図
【図１２】本発明の実施の形態５に係る第２の受信機情報を調査するフローチャート
【図１３】本発明の実施の形態５に係るＳＴＢの構造を示すブロック図
【図１４】本発明の実施の形態６に係るポータル認証サーバの構造を示すブロック図
【図１５】本発明の実施の形態６に係る第２の受信機情報を調査するフローチャート
【図１６】双方向サービスのシステムの構成を示すブロック図
【符号の説明】
【０１１０】
１    ポータルサーバ
２    ＳＴＢ
３    ポータル認証サーバ
４    ＴＶ受信機
５    ＶＯＤサーバ
６    再送信設備
７    混合器
８    顧客管理システム
１１    処理部
１２    通信部
１３    通信部
１４    送出部
１５    通信部
１６    コンテンツデータ保持部
２１    デスクランブル部
２２    ＣＡＳカード
２３    コマンド処理部
２４−１    第１のコマンド処理部
２４−２    第２のコマンド処理部
２４−３    第３のコマンド処理部
２５−１    第１の受信機情報保持部
２５−２    第２の受信機情報保持部
２５−３    第３の受信機情報保持部
２６    出荷情報設定部
２７    表示部
２８    通信部
３１−１    通信部
３１−２    通信部
３２    処理部
３３    メモリ部
３４−１    第１の比較判定部
３４−２    第２の比較判定部
３５    受信機情報保持部
３６    接続情報保持部
３７    接続情報検索部
３８    サービス情報保持部
３９    サービス報検索部
２０１    第２の受信機情報設定処理部
２０２    出荷情報保持部
３０１    受信機情報調査部
３０２    受信機情報発生部
【図１】
2007336030.tif 000003
【図２】
2007336030.tif 000004
【図３】
2007336030.tif 000005
【図４】
2007336030.tif 000006
【図５】
2007336030.tif 000007
【図６】
2007336030.tif 000008
【図７】
2007336030.tif 000009
【図８】
2007336030.tif 000010
【図９】
2007336030.tif 000011
【図１０】
2007336030.tif 000012
【図１１】
2007336030.tif 000013
【図１２】
2007336030.tif 000014
【図１３】
2007336030.tif 000015
【図１４】
2007336030.tif 000016
【図１５】
2007336030.tif 000017
【図１６】
2007336030.tif 000018